(57)【特許請求の範囲】
【請求項１】
内部に飲料が充填されるペットボトル本体の下部外周を覆うように、コップが複数重ねられて設けられ、
複数重ねられたコップのうち、最外周のコップの上端部が最も高い位置にあり、最内周のコップの上端部が最も低い位置にあるように、複数のコップの容量は内側に向かうほど小さくなるように設けられ、
各コップの上端部には、ペットボトル本体との間で互いに係合する係合部がそれぞれ設けられ、
ペットボトル本体には、各コップの上端部のそれぞれの位置に合わせて、各コップの上端部との間で互いに係合する係合部が設けられていることを特徴とするコップ一体型ペットボトル。
【発明の詳細な説明】
【技術分野】
【０００１】
本発明は、飲用時のコップが一体となった状態で提供されるペットボトルに関する。
【背景技術】
【０００２】
現在、お茶、コーヒー、清涼飲料などの飲料にペットボトルを容器として販売されている商品が多い。
ところで、ペットボトルを１人で飲みきる場合には、購入者はペットボトルに直接口をつけて飲むことができるが、複数人で１本のペットボトルを飲もうとする場合には、コップが必要になってくる。
【０００３】
常にコップを持ち歩いている場合には問題無いが、通常はペットボトルの飲料を複数人で飲むために常にコップを持ち歩いていることは少ない。
そこで、以下のように、コップを装着した状態で販売されるペットボトルが従来より種々提案されている。
【０００４】
例えば、ペットボトルの蓋をコップのような形状とする提案がされている（特許文献１、特許文献２参照）。
この特許文献１の構成では、通常用いられているキャップの周囲に、キャップより大径の容器部を形成し、この容器部をコップとして用いている。
特許文献１のコップは１つしかないが、特許文献２では、さらにキャップに設けた容器部の上方にさらにコップを積み重ねて配置する構成が開示されている。
【先行技術文献】
【特許文献】
【０００５】
【特許文献１】実用新案登録第３０１６２６２号公報
【特許文献２】実用新案登録第３０４９４７３号公報
【発明の概要】
【発明が解決しようとする課題】
【０００６】
特許文献１に示すように従来からのキャップの周囲をコップの形状に形成する構成では、キャップの周囲が大径となってしまい、従来のペットボトルとは異なる形状となってしまう。また、コップの内部にキャップが一体に設けられているので、コップを使用中にキャップを閉じることができないという不便がある。
さらに、特許文献２に示すような構成では、複数個のコップがキャップ上方に積み重ねられるが、従来からの通常のペットボトルの大きさを遙かに上回る大きさとなってしまう。
【０００７】
このため、従来のような構成では、流通過程において従来通りに積み込んだりすることが困難な場合も生じ、流通コストが上昇してしまうという課題がある。
また、従来のような通常の大きさを上回るペットボトルは、自動販売機内に補充することが困難であるという課題もある。
【０００８】
そこで、本発明は上記課題を解決すべくなされ、その目的とするところは、キャップと同時に使用できるコップを、通常のペットボトルの大きさを逸脱することなく提供することができるコップ一体型ペットボトルを提供することにある。
【課題を解決するための手段】
【０００９】
本発明は上記目的を達成すべく、以下の構成を備える。すなわち、本発明にかかるコップ一体型ペットボトルによれば、内部に飲料が充填されるペットボトル本体の下部外周を覆うように、コップが複数重ねられて設けられ、複数重ねられたコップのうち、最外周のコップの上端部が最も高い位置にあり、最内周のコップの上端部が最も低い位置にあるように、複数のコップの容量は内側に向かうほど小さくなるように設けられ、各コップの上端部には、ペットボトル本体との間で互いに係合する係合部がそれぞれ設けられ、ペットボトル本体には、各コップの上端部のそれぞれの位置に合わせて、各コップの上端部との間で互いに係合する係合部が設けられていることを特徴としている。
この構成を採用することによって、通常のペットボトルの大きさを逸脱することなく、
ペットボトルとともにコップも提供することができる。また、ペットボトル本体の周囲をコップが覆うこととなるので、ペットボトル本体の強度がコップによって維持され、ペットボトルの厚さを従来よりも薄くすることが可能になる。このため、ペットボトル本体のコストダウンにも寄与する。また、複数のコップであっても、通常のペットボトルの大きさを逸脱することなく、ペットボトルとともに提供できる。また、ペットボトル本体からコップが外れてしまうことを防止することができる。
【発明の効果】
【００１６】
本発明にかかるコップ一体型ペットボトルによれば、キャップと同時に使用できるコップを、通常のペットボトルの大きさを逸脱することなく提供できる。
【図面の簡単な説明】
【００１７】
【図１】第１の実施形態にかかるコップ一体型ペットボトルの構成を示す説明図である。
【図２】図１に示したコップ一体型ペットボトルにおいて、コップの取り付け方法について説明する説明図である。
【図３】第２の実施形態にかかるコップ一体型ペットボトルの構成を示す説明図である。
【図４】第２の実施形態にかかるコップ一体型ペットボトルの他の構成を示す説明図である。
【図５】第３の実施形態にかかるコップ一体型ペットボトルの構成を示す説明図である。
【図６】第４の実施形態にかかるコップ一体型ペットボトルの構成を示す説明図である。
【発明を実施するための形態】
【００１８】
（第１の実施形態）
以下、本発明の第１の実施形態を図１〜図２に基づいて詳細に説明する。
本実施形態のコップ一体型ペットボトル３０は、飲料が充填できる形状である有底の筒状に形成されたペットボトル本体３１と、ペットボトル本体３１の下部外周を覆ってペットボトル本体３１から取り外し可能に配置される１つのコップ３２と、ペットボトル本体の上部の口部を閉塞するキャップ３４とを備える。
【００１９】
コップ３２は、有底であり、ペットボトル本体３１の下部の外壁面よりもやや大径であって、形状がペットボトル本体３１の形状と同一形状に形成されている。
コップ３２はペットボトル本体３１と同様にＰＥＴ素材で形成されているとよい。
【００２０】
また、図２に示すように、コップ３２の上端部３２ａは、ラベル３５の内側に挟み込まれて固定される。通常、ラベル３５は、ペットボトル本体３１の外壁面に密着するように装着されているので、ペットボトル本体３１にコップ３２を嵌めた後、ラベル３５を装着するようにするとよい。
【００２１】
（第２の実施形態）
次に、図３に基づいて第２の実施形態について説明する。なお、上述した第１の実施形態と同一の構成要素については同一の符号を付し、説明を省略する場合もある。
本実施形態では、コップ３２の固定方法がラベル３５によるものではなく、ペットボトル本体３１とコップ３２とを係合させて固定するものである。
【００２２】
コップ３２の上端部には、コップ３２の開口部の内方に向けて突出する突起部４２が形成されている。突起部４２の形状は、内方に向かって突出する単なる山型であってもよいし、先端部（内方側端部）が下方に向けて曲げられている鉤状であってもよい。
突起部４２は、コップ３２の開口部の周縁全体にリング状に形成されていてもよいし、コップ３２の開口部の周縁のうちの部分的に形成されていてもよい。ただし、部分的に形成されている場合には、一箇所だけではなく複数箇所に形成されているとペットボトル本体３１との係合が確実になるので好ましい。
【００２３】
また、ペットボトル本体３１の外周面においては、下端部にコップ３２を配置させたときにコップ３２の上端部の突起部４２が進入できる程度の大きさの凹部４４が形成されている。
凹部４４は、コップ３２に形成した突起部４２の形状に合わせて形成されているとよい。例えば、山型の突起部４２と係合させる場合は単なる凹溝であってもよいし、鉤状の突起部４２と係合させる場合は突起部４２の形状に合った鉤状の凹部であってもよい。
【００２４】
また、凹部４４は、ペットボトル本体３１の外周面全体に亘ってリング状に形成されていると好ましい。リング状の凹部４４であれば、コップ３２の突起部４２が複数箇所に形成されている場合であっても、コップ３２とペットボトル本体３１との係合箇所を位置合わせせずに、係合させることができる。
【００２５】
このような構成により、ペットボトル本体３１からコップ３２を取り外し、コップ３２を使った後も、再度コップ３２をペットボトル本体３１に装着させておくことができる。
【００２６】
なお、このようにコップ３２とペットボトル本体３１との間で突起部と係合凹部により係合させて装着する場合であっても、コップ３２の上端部３２ａをラベル３５とペットボトル本体３１との間に挟み込んでおくことで、コップ３２はペットボトル本体３１に確実に装着されることとなる。
【００２７】
図３に示した実施形態では、コップ３２に突起部を設け、ペットボトル本体３１に凹部を設けた。しかし、係合の形態としては、これに限定されることはなく、コップ３２に凹部を設け、ペットボトル本体３１に突起部を設けるようにしてコップ３２とペットボトル本体３１とを係合させるようにしてもよい。
【００２８】
なお、係合部の他の例を図４に示す。
図４に示す例では、コップ３２の上端部の内壁面にコップ３２の開口部の内方に向けて突出する突起部４２が形成されている点では、図３に示した例と同じである。
突起部４２は、どのような形状であってもよいが、コップ３２の内壁面の全周に設けられているのではなく、複数箇所に設けられている。
【００２９】
複数箇所の突起部４２に対して、ペットボトル本体３１の外周面には突起部４２と係合可能な凹部５０が形成されている。
凹部５０の周方向の幅は、突起部４２の周方向の幅よりも若干幅広に形成されており、凹部５０は突起部４２の上下方向の幅よりも長く形成されている。このような凹部５０を形成することによって、コップ３２をペットボトル本体３１へ装着する際には、凹部５０内で突起部４２を上方にスライドさせつつ装着させることができる。また装着後は、コップ３２を周方向に回動しないように固定できる。
【００３０】
また、凹部５０を上下方向に長くするのではなく、周方向に長くしても良い。このようにすれば、コップ３２をペットボトル本体３２へ装着する際に、突起部４２の、凹部５０の周方向に対する位置を正確に位置決めしなくてもよい。また装着後は、コップ３２が上下方向に移動しないように固定できる（図示せず）。
さらに、凹部５０を、斜め方向に長くしても良い（図示せず）。
【００３１】
（第３の実施形態）
次に、図５に基づいて第３の実施形態について説明する。なお、上述した各実施形態と同一の構成要素については同一の符号を付し、説明を省略する場合もある。
本実施形態では、コップ３２の固定方法がラベル３５によるものではなく、ペットボトル本体３１とコップ３２とをねじ溝によって螺合させて固定するものである。
【００３２】
コップ３２の上端部には、コップ３２の開口部の内方に向けてねじ溝４６が形成されている。
また、ペットボトル本体３１の外周面においては、下端部にコップ３２を配置させたときにコップ３２のねじ溝４６と螺合可能なねじ溝４８が形成されている。
【００３３】
このような構成にすれば、ペットボトル本体３１へのコップ３２の着脱が確実且つ容易に行える。
【００３４】
なお、このようにコップ３２とペットボトル本体３１とをねじ込み式によって装着する場合であっても、図２に示すようにコップ３２の上端部３２ａをラベル３５とペットボトル本体３１との間に挟み込んでおくことで、コップ３２はペットボトル本体３１に確実に装着されることとなる。
【００３５】
（第４の実施形態）
次に、図６に基づいて第４の実施形態について説明する。
なお、上述した各実施形態と同一の構成要素については同一の符号を付し、説明を省略する場合もある。
第３の実施形態では、複数のコップ３２，３８，４０が重ねられた状態で、ペットボトル本体３１の下部外周を覆って配置されている。
なお、図面では例として３つのコップを装着したところを示したが、本実施形態としては装着するコップの数は３つに限定されるものではなく、２つ以上の数であればよい。
【００３６】
なお、図４では作図の都合により、各コップ間の隙間が実際のものよりも多くとられ、最外周のコップ４０とペットボトル本体３１の外壁面とが大きく離れているように見えるが、実際には最小のコップ３２、中間の大きさのコップ３８、最大のコップの大きさの差はわずかであり、各コップ３２，３８，４０およびペットボトル本体３１の表面はほぼ密着している状態である。
【００３７】
本実施形態では、複数のコップ３２，３８，４０を重ね合わせているため、その大きさ（容量）は、内側（ペットボトル本体側）に向かうほど小さいものでなくてはならない。
また、各コップの高さは、最外周のコップ４０が最も高く、最内周のコップ３２が最も低く形成されている。このため、各コップの底面を一致させて積み重ねた場合には、最外周のコップ４０の上端部が最も高い位置にあり、最内周のコップ３２の上端部が最も低い位置にある。
【００３８】
各コップ３２，３８，４０の上端部には、それぞれ開口部の内側に向かう突起部４２が形成されている。突起部４２の形状としては、上述した実施形態のように山型であってもよいし。鉤状であってもよい。
【００３９】
ペットボトル本体３１には、重ね合わせたコップの数に該当する数の凹部４４が形成されている。ここでは、３つのコップ３２，３８，４０のそれぞれの突起部４２の位置に合わせて３つの凹部４４が形成されている。
このような構成により、各コップ３２，３８，４０がそれぞれ単独でペットボトル本体３１に取り付けられるので、複数のコップ全てではなくの何れかを使用する場合であっても、使用しないコップはペットボトル本体３１に装着させておくことができる。
【００４０】
なお、本実施形態においても、複数のコップ３２，３８，４０の取り付け方法としては、図２に示したように、ラベル３５とペットボトル本体３１との間にコップの上端部を挟み込むようにしてもよい。これにより、複数のコップ３２，３８，４０はペットボトル本体３１に確実に装着されることとなる。
この場合、少なくとも最外周のコップ４０の上端部だけがラベル３５とペットボトル本体３１との間に挟みこまれていればよい。
【００４１】
以上本発明につき好適な実施形態を挙げて種々説明したが、本発明はこの実施形態に限定されるものではなく、発明の精神を逸脱しない範囲内で多くの改変を施し得るのはもちろんである。
【符号の説明】
【００４２】
３０  コップ一体型ペットボトル
３１  ペットボトル本体
３２，３８，４０  コップ
３４  キャップ
３５  ラベル
４２  突起部
４４  凹部
４６，４８  ねじ溝
【図１】
0005526380.tif 000002
【図２】
0005526380.tif 000003
【図３】
0005526380.tif 000004
【図４】
0005526380.tif 000005
【図５】
0005526380.tif 000006
【図６】
0005526380.tif 000007